(57)【特許請求の範囲】
【請求項１】
携帯電話が、メディア・レンダリング・デバイスの少なくとも１つの出力パラメータを決定し、
前記少なくとも１つの出力パラメータは前記メディア・レンダリング・デバイスによってサポートされる符号化条件を含み、
前記符号化条件は解像能力、オーディオ・デコーダ、ビデオ・デコーダに関連し、
前記少なくとも１つの出力パラメータの決定は、前記携帯電話が、前記メディア・レンダリング・デバイスを識別するために実行する検出プロセスに基づき、
前記携帯電話が、コンテンツ・プロセッサに記憶されているコンテンツのためのコンテンツのリストをゲートウェイ・プロセッサに要求し、
前記携帯電話が、前記コンテンツのリストを受信し、
前記携帯電話が、コンテンツのリクエストを前記携帯電話のユーザから受信し、
前記携帯電話が、前記リクエストに基づいて、前記メディア・レンダリング・デバイスの出力パラメータの識別及び前記ゲートウェイ・プロセッサのドメインを含むＵＲＬを含むコマンドを生成し、
前記コマンドを生成することは、前記リクエストを前記コマンドに変換することを含み、
前記携帯電話が、メディア・レンダリング・デバイスに前記コマンドを送信する、
コンテンツの出力を制御する方法。
【請求項２】
前記コマンドを送信する前に、前記携帯電話が、前記ＵＲＬの少なくとも部分を暗号化する、ことをさらに含む、請求項１に記載の方法。
【請求項３】
前記コンテンツのリクエストは、ユーザの識別、前記識別に基づく前記コンテンツのリストを含み、
前記識別は前記コンテンツの加入権に関連する、
請求項１に記載の方法。
【請求項４】
前記コンテンツのリストは前記携帯電話の地理的な位置に基づく、請求項１に記載の方法。
【請求項５】
前記携帯電話が、前記コマンドを受信することができる少なくとも２つのメディア・レンダリング・デバイスを検出し、
前記携帯電話が、前記少なくとも２つのメディア・レンダリング・デバイスに関する出力パラメータに関する情報を検出する、
ことをさらに含む、請求項１に記載の方法。
【請求項６】
前記携帯電話が、前記コンテンツに基づく広告を表示する、
ことをさらに含む、請求項１に記載の方法。
【請求項７】
前記ＵＲＬが、前記ゲートウェイ・プロセッサのアドレスを含む、請求項１に記載の方法。
【請求項８】
前記携帯電話が、前記メディア・レンダリング・デバイスによる前記コンテンツの出力を制御するために有効な再生コマンドを送信する、ことをさらに含む、請求項１に記載の方法。
【請求項９】
携帯電話が、メディア・レンダリング・デバイスの少なくとも１つの出力パラメータを決定し、
前記少なくとも１つの出力パラメータは前記メディア・レンダリング・デバイスによってサポートされる符号化条件を含み、
前記符号化条件は解像能力、オーディオ・デコーダ、ビデオ・デコーダに関連し、
前記少なくとも１つの出力パラメータの決定は、前記携帯電話が、前記メディア・レンダリング・デバイスを識別するために実行する検出プロセスに基づき、
前記携帯電話が、コンテンツ・プロセッサに記憶されているコンテンツのためのコンテンツのリストをゲートウェイ・プロセッサに要求し、
前記携帯電話が前記コンテンツのリストを受信し、
前記携帯電話が、前記コンテンツのリストのコンテンツのリクエストを前記携帯電話のユーザから受信し、
前記携帯電話が、前記リクエストに基づいて、前記メディア・レンダリング・デバイスの出力パラメータの識別及び前記ゲートウェイ・プロセッサのドメインを含むＵＲＬを含むコマンドを生成し、
前記コマンドを生成することは、前記リクエストを前記コマンドに変換することを含み、
前記携帯電話が、前記メディア・レンダリング・デバイスに前記コマンドを送信し、
前記ゲートウェイ・プロセッサが、前記ドメインのリクエストを、前記メディア・レンダリング・デバイスから受信し、
前記ゲートウェイ・プロセッサが、前記コンテンツを前記メディア・レンダリング・デバイスに送信する、
コンテンツの出力を制御する方法。
【請求項１０】
前記ＵＲＬのドメインはコンテンツ・プロセッサのアドレスとは異なる、請求項９に記載の方法。
【請求項１１】
前記コンテンツ・プロセッサが、
前記ＵＲＬに基づいて、前記ゲートウェイ・プロセッサのアドレスを決定し、
前記ゲートウェイ・プロセッサのアドレスで、前記ゲートウェイ・プロセッサにリクエストを送信する、
ことをさらに含む、請求項９に記載の方法。
【請求項１２】
前記ゲートウェイ・プロセッサが、前記コンテンツ・プロセッサから前記コンテンツを受信し、
前記ゲートウェイ・プロセッサが、前記メディア・レンダリング・デバイスに前記コンテンツを送信する、
ことをさらに含む、請求項９に記載の方法。
【請求項１３】
前記ＵＲＬは前記メディア・レンダリング・デバイスの出力パラメータに関する情報を含み、
前記メディア・レンダリング・デバイスに前記コンテンツを送信することは、
符号化されたコンテンツを生成するために、出力パラメータに関する前記情報に基づいて、前記コンテンツを符号化し、
前記メディア・レンダリング・デバイスに符号化された前記コンテンツを送信する、
ことを含む、
請求項９に記載の方法。
【請求項１４】
携帯電話と、
ドメインのゲートウェイ・プロセッサと、
を備え、
前記携帯電話は、
メディア・レンダリング・デバイスの少なくとも１つの出力パラメータを決定し、
前記少なくとも１つの出力パラメータは前記メディア・レンダリング・デバイスによってサポートされる符号化条件を含み、
前記符号化条件は解像能力、オーディオ・デコーダ、ビデオ・デコーダに関連し、
前記少なくとも１つの出力パラメータの決定は、前記携帯電話が、前記メディア・レンダリング・デバイスを識別するために実行する検出プロセスに基づき、
コンテンツ・プロセッサに記憶されているコンテンツの前記ゲートウェイ・プロセッサにコンテンツのリストを要求し、
前記コンテンツのリストを受信し、
前記コンテンツのリストのコンテンツのリクエストを前記携帯電話のユーザから受信し、
前記メディア・レンダリング・デバイスの出力パラメータの識別及び前記ゲートウェイ・プロセッサのドメインを含むＵＲＬを含むコマンドを、前記リクエストに基づいて、生成し、
前記コマンドを生成することは、前記リクエストを前記コマンドに変換することを含み、
前記メディア・レンダリング・デバイスに前記コマンドを送信し、
前記ゲートウェイ・プロセッサは、
前記メディア・レンダリング・デバイスからリクエストを受信し、
前記リクエストは、前記メディア・レンダリング・デバイスから、前記携帯電話からのコマンドの受信に応じて送信され、
前記メディア・レンダリング・デバイスに前記コンテンツを送信する、
コンテンツの出力を制御するために有効なシステム。
【請求項１５】
前記メディア・レンダリング・デバイスは、さらに、
前記コンテンツを受信し、
前記コンテンツを出力し、
前記コンテンツに関する広告を出力する、
請求項１４に記載のシステム。
【請求項１６】
前記携帯電話は、
コンテンツのリストのリクエストを受信し、
前記ゲートウェイ・プロセッサもしくは第２のプロセッサに前記コンテンツのリストのリクエストを送信し、
前記携帯電話の地理的な位置に基づく前記コンテンツのリストを前記ゲートウェイ・プロセッサもしくは第２のプロセッサから受信する、
請求項１４に記載のシステム。
【請求項１７】
前記携帯電話は、
前記コマンドを受信することができる少なくとも２つのメディア・レンダリング・デバイスを検出し、
前記少なくとも２つのメディア・レンダリング・デバイスに関する出力パラメータに関する情報を検出する、
請求項１４に記載のシステム。
【発明の詳細な説明】
【技術分野】
【０００１】
本開示は、インターネットからコンテンツを出力するために、携帯電話が、メディア・レンダリング・デバイスを制御することができる、有効なシステム及び方法に関する。
【背景技術】
【０００２】
図１に、コンテンツを出力するために有効な従来のシステム５０を示す。システム５０において、ユーザ５２は、テレビ５８の出力を制御するために、リモート・コントロール５４を使用することができる。リモート・コントロール５４は特定のコンテンツ・プロセッサからコンテンツを出力するために、テレビ５８にコマンドを送信することができる。テレビ５８は、次に、ケーブル・ライン６０もしくはサテライト６２を介して、コンテンツ・プロセッサ６４にリクエストを送信することができる。コンテンツ・プロセッサ６４は、コンテンツ６８を含むメモリ６６と通信することができる。コンテンツ・プロセッサ６４はテレビ５８にコンテンツ６８を送信することができる。テレビ５８は画像５６の形態でコンテンツ６８を出力することができる。本開示は、これらの従来技術を改良することについて記述する。
【発明の概要】
【発明が解決しようとする課題】
【０００３】
インターネットからコンテンツを出力するために、携帯電話が、メディア・レンダリング・デバイスを制御することができる、有効なシステム及び方法を提供する。
【課題を解決するための手段】
【０００４】
本発明の実施形態の１つは、コンテンツの出力を制御する方法である。当該方法は、携帯電話によって、第１のプロセッサのコンテンツのリクエストを受信し、携帯電話によって、ドメイン及び第１のプロセッサの識別を含むＵＲＬを含むコマンドを、リクエストに基づいて、生成し、携帯電話によって、メディア・レンダリング・デバイスにコマンドを送信する、ことを含むことができる。
【０００５】
本発明の他の実施形態は、コンテンツの出力を制御する方法である。当該方法は、携帯電話によって、第１のプロセッサから利用可能であるコンテンツのリクエストを受信し、携帯電話によって、ドメイン及び第２のプロセッサの識別を含むＵＲＬを含むコマンドを、リクエストに基づいて、生成する、ことを含むことができる。当該方法は、さらに、携帯電話によって、メディア・レンダリング・デバイスにコマンドを送信し、第２のプロセッサによって、メディア・レンダリング・デバイスからドメインのリクエストを受信し、第２のプロセッサによって、メディア・レンダリング・デバイスに、コンテンツを送信する、ことを含む。
【０００６】
本発明の他の実施形態は、コンテンツの出力を制御するために有効なシステムである。当該システムは、携帯電話及びドメインの第１のプロセッサを備えることができる。携帯電話は、第２のプロセッサのコンテンツのリクエストを受信し、第１のプロセッサのドメイン及び第２のプロセッサの識別を含むＵＲＬを含むコマンドを、リクエストに基づいて、生成し、メディア・レンダリング・デバイスにコマンドを送信する、ために有効であってよい。第１のプロセッサは、メディア・レンダリング・デバイスからリクエストを受信し、メディア・レンダリング・デバイスにコンテンツを送信する、ために有効であってよい。
【発明の効果】
【０００７】
インターネットからコンテンツを出力するために、携帯電話が、メディア・レンダリング・デバイスを制御することができる、有効なシステム及び方法を提供することができる。
【図面の簡単な説明】
【０００８】
【図１】従来技術のシステムを示す。
【図２】本発明の実施形態のシステムを示す。
【図３】本発明の実施形態のシステムを示す。
【図４】本発明の実施形態の処理を例示するフローチャートである。
【発明を実施するための形態】
【０００９】
図は本明細書の部分を構成し、本発明の例示的な実施形態を含み、その様々な目的及び特徴を例示する。
【００１０】
本発明の様々な実施形態が、図を参照して、以下に記述される。図を通して、同様の構成もしくは機能を有する要素は、同様の参照符号で示される。図は、本発明の記述を支援することを意図するのみであるか、もしくは、本発明の範囲のガイドとしてのみ存在する。さらに、本発明の特定の実施形態と共に記述される態様は、当該実施形態に限定される必要はなく、本発明の他の実施形態と共に実施されてもよい。
【００１１】
図２に、本発明の実施形態によるシステム１００を示す。以下により詳細に記述されるように、システム１００において、ユーザ１０２は、メディア・レンダリング・デバイス１０８に画像１６４によるようなコンテンツの出力を制御するために、携帯電話１０４を使用してもよい。メディア・レンダリング・デバイス１０８は、有線もしくは無線などによって、インターネットに接続可能な任意のデバイスであってよく、オーディオ、ビジュアル、もしくは、オーディオ・ビジュアル・コンテンツをレンダリングする機能を有する。コンテンツは、コンテンツ・プロセッサ１２４からインターネット１２２を介して送信されてもよい。コンテンツは、例えば、画像、一連の画像、ビデオ、オーディオなどを含むファイルの組み合わせであってよい。コンテンツ・プロセッサ１２４は、インターネットに接続し、コンテンツを提供する機能を有する任意のプロセッサであってよい。
【００１２】
図３に、システム１００をより詳細に示す。携帯電話１０４は、ネットワーク１３６を介してメディア・レンダリング・デバイス１０８と通信してもよい。ネットワーク１３６は、例えば、ホーム・ワイヤレス・ネットワークなどの無線ネットワークであってよい。メディア・レンダリング・デバイス１０８は、例えば、テレビ、モニタ、コンピュータ、オーディオ・システム、ＸＢＯＸ  ３６０、ソニー  プレーステーション、任天堂  Ｗｉｉなどのゲーム・コンソール、ＰＯＰＣＯＲＮ  ＨＯＵＲなどの専用メディア・プレーヤなどであってよい。メディア・レンダリング・デバイス１０８はＵＰｎＰ（ユニバーサル・プラグ・アンド・プレイ）、ＤＬＮＡ（Digital Living Network Alliance)、ＯｐｅｎＴＶもしくはＪｏｉｎｔＳｐａｃｅプロトコルを用いて動作するイーサネット・ポートなどのネットワーク・ポート１３０を含んでもよい。メディア・レンダリング・デバイス１０８は、コンテンツを、例えば、ディスプレイ１３２、スピーカ１２８、もしくはそれらのコンビネーションを介して出力してもよい。
【００１３】
携帯電話１０４は、インターネットなどのネットワーク１２２と直接もしくはセルラ基地局１２０、サテライト１３８を介して、もしくは、ネットワーク１３６を介して、通信してもよい。ネットワーク１２２は、次に、コンテンツ・プロセッサ１２４もしくはコンテンツ・ゲートウェイ１５２と通信する。コンテンツ・プロセッサ１２４はコンテンツ１１０を保存することができるメモリ１２６と通信する。コンテンツ１１０は、例えば、ビデオ、オーディオ、オーディオ・ビジュアル・コンテンツであってよい。
【００１４】
携帯電話１０４は、プロセッサ１１４と通信するアンテナ１１２、ディスプレイ１１６、メモリ１１８、ユーザ・インターフェイス１４６及びカメラ１４４を有していてもよい。アンテナ１１２は、メディア・レンダリング・デバイス１０８、基地局１２０、サテライト１３８、及びネットワーク１２２と無線で通信することができる。メモリ１１８は、コンテンツ１１０を要求するために使用されてもよいアプリケーション１３４を保存していてもよい。
【００１５】
使用する際に、ユーザ１０２はコンテンツ・プロセッサ１２４から利用可能なコンテンツのリクエスト１４０を行う。リクエスト１４０はアプリケーション１３４によって生成されるプロンプトに応じてなされる。携帯電話１０４はコンテンツ・プロセッサ１２４もしくはゲートウェイ・プロセッサ１５２にリクエスト１４０を送信してもよい。携帯電話１０４は、基地局１２０、サテライト１３８などを経由するネットワーク１２２を介して、もしくは、ネットワーク１３６などを介して、コンテンツ・プロセッサ１２４にリクエスト１４０を送信してもよい。同様に、携帯電話１０４は基地局１２０、サテライト１３８を介して、もしくは、ネットワーク１３６を介して、ゲートウェイ・プロセッサ１５２にリクエスト１４０を送信してもよい。リクエスト１４０はユーザ１０２の識別を含むことができる。コンテンツ・プロセッサ１２４もしくはゲートウェイ・プロセッサ１５２はリクエスト１４０を受信し、ユーザ１０２の識別に基づいて、ユーザ１０２に利用可能なコンテンツのリストを決定する。例えば、コンテンツ・プロセッサ１２４もしくはゲートウェイ・プロセッサ１５２は、ユーザ１０２が有効な加入権を有するか否かを判断してもよいし、もしくは、携帯電話１０４の地理的な位置に基づいてリストを生成してもよい。このように、コンテンツ・プロセッサ１２４もしくはゲートウェイ・プロセッサ１５２はコンテンツ配信に地理的な制限を課すために有効であってもよい。
【００１６】
コンテンツ・プロセッサ１２６もしくはゲートウェイ・プロセッサ１５２は携帯電話１０４に利用可能なコンテンツ１５０を送信してもよい。例えば、コンテンツ・プロセッサ１２６がテレビもしくはラジオ局と関連付けられているならば、利用可能なコンテンツのリスト１５０は、携帯電話１０４がリクエスト１４０を送信する時間付近に、テレビもしくはラジオ局が提供することを望むコンテンツ１１０のリストを含むことができる。リスト１５０は、このように、リクエスト１４０の時間に基づいてもよい。リスト１５０は、インターネット上の複数の異なるコンテンツ・プロセッサから利用可能なコンテンツのソースのカタログであってよいし、インターネットのテレビ・ガイドに類似するものであってもよい。
【００１７】
アプリケーション１３４は、ネットワーク１３６内のメディア・レンダリング・デバイスの検出を、携帯電話１０４に実行させてもよい。例えば、携帯電話１０４はローカル無線ネットワークでテレビを検出してもよい。検出過程において、リクエスト、もしくは、メディア・レンダリング・デバイスの各々への出力パラメータに関連するその他の情報の形式を整えること、もしくは、符号化することが検出されてもよい。例えば、メディア・レンダリング・デバイスが特定の解像能力を有するならば、検出プロセスは、メディア・レンダリング・デバイスのモデル及び対応する解像度を識別してもよい。検出プロセスは、サポートされるオーディオ及びビデオ・エンコーダ及びデコーダを識別してもよい。
【００１８】
アプリケーション１３４は、利用可能なコンテンツのリスト１５０及び利用可能なメディア・レンダリング・デバイスのリストを携帯電話１０４に表示させてもよい。携帯電話１０４は所望されるコンテンツ１１０及び所望されるメディア・レンダリング・デバイス１０８を示すために、ユーザ１０２から選択１５４を受信することができる。選択はユーザ・インターフェイス１４６を用いてユーザ１０２から来てもよい。選択は、アプリケーション１３４を検出し、利用可能なコンテンツのリストを要求するメディア・レンダリング・デバイス１０８から来てもよい。ユーザ１０２は、次に、利用可能なコンテンツのリストを見るために、及び、出力するコンテンツを選択するために、メディア・レンダリング・デバイス１０８のリモート・コントロールを使用してもよい。メディア・レンダリング・デバイス１０８は、次に、携帯電話１０４に選択されたコンテンツ１１０についての選択１５４を送信することができる。アプリケーション１３４は、選択１５４をＵＲＬ１５６を含むコマンド１６６に変換し、ＵＰｎＰ、ＤＬＮＡ、ＯｐｅｎＴＶもしくはＪｏｉｎｔＳｐａｃｅプロトコルを用いて、メディア・レンダリング・デバイス１０８にコマンド１６６を送信してもよい。ＵＲＬ１５６のドメインはインターネット上のゲートウェイ・プロセッサ１５２のアドレスを含むことができる。例えば、ＵＲＬ１５６は、「１．２．３．４／ｘｙｚ／ｊｆｋ．ｅｘｔ」、もしくは、「１．２．３．４／ｘｙｚ．ｅｘｔ？ｘ＝ｊｆｋ」であってよく、「１．２．３．４」はゲートウェイ・プロセッサ１５２のＩＰアドレスである。例において、「ｅｘｔ」はｊｐｇもしくはｍｐ４などのメディア・タイプを識別するファイル拡張子であってよい。ＵＲＬ１５６はコンテンツ・プロセッサ１２４の位置、コンテンツ１１０の位置、及び、メディア・レンダリング・デバイス１０８に関連する出力パラメータなどの追加的なメタデータも含むことができる。例において、「ｘｙｚ．ｅｘｔ」は、コンテンツ１１０を保存することができる符号化アドレスを示してもよいし、「ｊｆｋ」はメディア・レンダリング・デバイス１０８の表示要件を示してもよい。例えば、ＵＲＬ１５６はユーザ１０２の識別、ユーザ・セッションの識別、メディア・レンダリング・デバイス１１０の（サポートされるオーディオ及びビデオ・エンコーダ及びデコーダなどの）出力パラメータのモデルもしくはその他の識別、携帯電話１０４のタイプなどを含むことができる。ユーザ識別及び／もしくはユーザ・セッションの識別は、特定のセッションの間のアクティビティを追跡するために使用されてもよい。対象とされる広告は、次に、以下でより詳細に記述されるように、ユーザのために差し挟まれる。さらに、ユーザ名、ユーザの携帯電話、位置などの、セッションの存続期間について固定されているデータが送信されると、次のリクエストはユーザ・セッションの識別だけを含むことができる。携帯電話１０４はゲートウェイ１５２が知っているキーによってＵＲＬ１５６を暗号化してもよい。これにより、データがＵＲＬ１５６にあるとしても、コンテンツ・プロセッサ１２４の位置、コンテンツ１１０の位置、及び、追加的なメタデータを決定することが、ユーザ１０２にとって困難となる。メディア・レンダリング・デバイス１０８はコマンド１６６を受信し、ＵＲＬ１５６のＩＰアドレスにおいて、ゲートウェイ・プロセッサ１５２にインターネットを介してリクエスト１５８を送信することができる。
【００１９】
ゲートウェイ・プロセッサ１５２は、インターネット上の、ＵＲＬ１５６に示されているドメインに配置されてもよい。ゲートウェイ・プロセッサ１５２はＵＲＬ１５６に向けられているリクエスト１５８を受信することができる。上記したように、ＵＲＬ１５６はゲートウェイ・プロセッサ１５２のドメインを含んでもよく、コンテンツ・プロセッサ１２４を示すメタデータを含んでもよい。ゲートウェイ・プロセッサ１５２は、復号ＵＲＬ１５６を含むことができるメタデータを処理し、当該メタデータに基づいて、コンテンツ１１０について、コンテンツ・プロセッサ１２４にリクエスト１６０を送信することができる。リクエスト１６０に応じて、コンテンツ・プロセッサ１２４はコンテンツ１１０をゲートウェイ・プロセッサ１５２に送信する。ＵＲＬ１５６はメディア・レンダリング・デバイス１０８の出力パラメータに関する情報を含むことができるので、ゲートウェイ・プロセッサ１５２はメディア・レンダリング・デバイス１０８にもっとも適したフォーマットでコンテンツ１１０を符号化することができる。例えば、出力パラメータに関する情報が特定のメディア・レンダリング・デバイスのモデルを含むならば、コンテンツ・プロセッサ１２４は特定のメディア・レンダリング・デバイスのためにデータがどのように符号化されるべきかを決定するために、ルックアップ・テーブルを分析してもよい。例えば、ブラウザによってコンピュータのモニタ上でレンダリングされるように、コンテンツ・プロセッサ１２４は符号化されたコンテンツ１１０をゲートウェイ・プロセッサ１５２に送信してもよい。ゲートウェイ・プロセッサ１５２は、メディア・レンダリング・デバイス１０８がテレビである例において、テレビにより適したフォーマットで符号化されたコンテンツ１６２に、コンテンツ１１０を符号化してもよい。ゲートウェイ１５２は、次に、メディア・レンダリング・デバイス１０８に符号化されたコンテンツ１６２を送信することができる。メディア・レンダリング・デバイス１０８は、次に、ディスプレイ１１６及び／もしくはスピーカ１２８を介して符号化されたコンテンツ１６２を出力してもよい。携帯電話１０４を、次に、音量調整、停止などの再生コマンドを、ＤＬＮＡ、ＵＰｎＰ、ＪｏｉｎｔＳｐａｃｅもしくはＯｐｅｎＴＶプロトコルを介して、メディア・レンダリング・デバイス１０８に提供するために使用することができる。
【００２０】
例において、ユーザ１０２は、メディア・レンダリング・デバイス１０８によって表示される「ｗｅｂｓｉｔｅ．ｃｏｍ」からコンテンツを要求してもよい。携帯電話１０４は、特定のビデオを示すメタデータと共に、ゲートウェイ・プロセッサ１５２の、及び、「ｗｅｂｓｉｔｅ．ｃｏｍ」の、アドレスを含むＵＲＬ１５６と共に、コマンド１６６を送信してもよい。ゲートウェイ・プロセッサ１５２は、次に、「ｗｅｂｓｉｔｅ．ｃｏｍ」からのコンテンツを要求し、メディア・レンダリング・デバイス１０８によってサポートされるフォーマットで当該コンテンツを符号化し、メディア・レンダリング・デバイスに当該コンテンツを送信してもよい。
【００２１】
他の例において、携帯電話１０４はローカル・ネットワーク１３６の利用可能なテレビ１１０もしくはオーディオ・デバイスのリストを表示してもよい。携帯電話１０４は、次に、利用可能な映画もしくはコンテンツを表示するために利用可能なテレビ局のリストを提供してもよい。ユーザは、出力テレビ及び彼／彼女がテレビで見ることを望むインターネットから所望するコンテンツを示す彼／彼女の携帯電話にリクエストを送信してもよい。当該リクエストは、ＵＲＬと共に、コマンドの形態で、テレビに送信される。リクエストは、メディア・レンダリング・デバイスからＵＲＬのゲートウェイ・プロセッサに、次に、コンテンツ・プロセッサに送信される。コンテンツ・プロセッサは、ゲートウェイ・プロセッサに、次に、テレビに、コンテンツを提供する。複数のメディア・レンダリング・デバイスが制御されてもよい。例えば、携帯電話はステレオで再生されるオーディオを制御するために使用されてもよく、ビデオを表示するためにテレビを制御するために使用されてもよい。
【００２２】
本開示のシステムは、インターネットからのコンテンツを出力するために、メディア・レンダリング・デバイスを制御するためのインテリジェント・リモート・コントロールとして、携帯電話を動作させることができる。従来技術のシステムは、インターネットからのコンテンツをレンダリングするために、メディア・レンダリング・デバイスのために、メディア・レンダリング・デバイス上で稼働する専用ソフトウェア・アプリケーションを必要とするかもしれない。例えば、コンテンツのソースの各々は、メディア・レンダリング・デバイス上で稼働する別個のソフトウェア・アプリケーションを要求するかもしれない。本開示のシステムによれば、コンテンツ・プロバイダはメディア・レンダリング・デバイスで展開される特別なソフトウェア・アプリケーションを必要とせず、メディア・レンダリング・デバイスにコンテンツを送信することができる。本開示のシステムは、携帯電話もしくはゲートウェイ・プロセッサに、コンテンツ・プロバイダからのコンテンツを保存する必要がない。コンテンツはメディア・レンダリング・デバイスにストリーミングされてもよく、したがって、コンテンツの所有及び配信に関する問題に、より容易に対処することができる。コンテンツ・プロバイダはその制御の外にある場所にコンテンツを送信する必要はない。コンテンツ・プロバイダは、コンテンツの配信をより制御することができる。
【００２３】
その他の従来技術のシステムは、そのテレビを使用して、ブラウザを開くことをユーザに要求するかもしれない。多くのテレビは、ブラウザを有さないし、及び／もしくは、ブラウザで、ＵＲＬをタイプするためのユーザ・インターフェイスは乏しい傾向にある。本開示のシステムは、ブラウザを介して利用可能なだけであり、テレビに表示される目的のために符号化されていないかもしれない、インターネットからのコンテンツの追加による一般的なテレビ・エクスペアリアンスを提供することができる。携帯電話は、インテリジェント・リモート・コントロールとして利用されるかもしれないので、本開示のシステムは、より個人的なエクスペアリアンスを提供するかもしれない。携帯電話はユーザのためによりパーソナライズされてもよいが、従来技術のセット・アップ・ボックスは、複数のユーザによって共有されてもよい。さらに、携帯電話はポータブルであるため、ユーザは、任意のメディア・レンダリング・デバイスにコンテンツの制御を持って行くことができる。ユーザ１０２のアクティビティは、監視されてもよく、コンテンツ１１０などの対象を有する広告は、コンテンツ１１０に基づいて、ユーザ１０２に携帯電話１０４で、及び／もしくは、メディア・レンダリング・デバイス１０８で提供されてもよい。例えば、広告は、様々な方法でユーザ１０２に提供されてもよい。広告は、コンテンツ（ビデオ及び／もしくはオーディオ）・ストリームに広告を差し挟み、メディア・レンダリング・デバイスに広告を表示することによって提供されてもよい。メディア・レンダリング・デバイスがコンテンツを出力し、広告は、携帯電話で広告を表示することによって提供されてもよい。広告は、メディア・レンダリング・デバイスによってレンダリングされているシーンの文脈に影響される広告を携帯電話に表示することによって提供されてもよい。携帯電話の広告にユーザが応答することができ、広告はメディア・レンダリング・デバイスでコンテンツ上に表示されてもよい。クラウド環境のプロセッサから利用可能なコンテンツは、メディア・レンダリング・デバイスに出力されてもよい。ユーザ１０２は、インターネットで利用可能なコンテンツ１１０を探すために携帯電話１０４を使用してもよく、次に、メディア・レンダリング・デバイス１０８に当該コンテンツを表示するために携帯電話１０４を使用してもよい。
【００２４】
図４に、本開示によって実行される処理を示す。図４の処理は、例えば、上記されたシステム１００を用いて実装されてもよい。ステップＳ２で、携帯電話は利用可能なコンテンツのリストのリクエストを受信することができる。携帯電話は当該リストをゲートウェイ・プロセッサもしくはコンテンツ・プロセッサに送信することができる。ステップＳ８で、ゲートウェイ・プロセッサはリクエストを受信し、利用可能なコンテンツのリストを生成することができる。ステップＳ１０で、コンテンツ・プロセッサはリクエストを受信し、利用可能なコンテンツのリストを生成することができる。ステップＳ４で、携帯電話はゲートウェイ・プロセッサもしくはコンテンツ・プロセッサから利用可能なコンテンツのリストを受信することができる。ステップＳ６で、携帯電話はコンテンツの少なくともいくつかを出力するためのユーザからの選択を受信することができる。選択は、携帯電話のユーザ・インターフェイスを用いて、ユーザから来てもよい。選択は、メディア・レンダリング・デバイスとやり取りするユーザから来てもよい。例えば、メディア・レンダリング・デバイスは、携帯電話を検出し、利用可能なコンテンツのリストを受信することができる。したがって、メディア・レンダリング・デバイスは、コンテンツを出力するためにユーザからの選択を受信し、メディア・レンダリング・デバイスは選択を生成することにより携帯電話からコンテンツを要求してもよい。携帯電話は選択をＵＲＬを含むコマンドに変換することができる。ＵＲＬはゲートウェイ・プロセッサのドメイン及びコンテンツ・プロセッサのアドレスなどのコンテンツ・プロセッサの指標を含むことができる。携帯電話は、メディア・レンダリング・デバイスにコマンドを送信することができる。
【００２５】
ステップＳ２０で、メディア・レンダリング・デバイスはコマンドを受信することができる。ステップＳ２２で、メディア・レンダリング・デバイスはコマンドのＵＲＬにリクエストを送信することができる。ステップＳ１２で、ゲートウェイ・プロセッサはリクエストを受信することができる。ゲートウェイ・プロセッサはＵＲＬからコンテンツ・プロセッサのアドレスを判断し、コンテンツ・プロセッサにコンテンツのリクエストを送信することができる。ステップＳ１４で、コンテンツ・プロセッサはリクエストを受信し、ゲートウェイ・プロセッサにコンテンツを送信することができる。ステップＳ１６で、ゲートウェイ・プロセッサはコンテンツを受信することができる。
【００２６】
ステップＳ１８で、ゲートウェイ・プロセッサはメディア・レンダリング・デバイスのパラメータ出力に基づくフォーマットでコンテンツを符号化することができる。ゲートウェイ・プロセッサは符号化されたコンテンツをメディア・レンダリング・デバイスに送信することができる。ステップＳ２４で、メディア・レンダリング・デバイスは符号化されたコンテンツを受信することができる。ステップＳ２６で、メディア・レンダリング・デバイスはコンテンツを出力することができる。
【００２７】
本発明は、複数の例示的な実施形態を参照して記述されているが、本発明の範囲から乖離することなく、様々な変更が可能であり、その要素を同等のものと置き換えることができることを当業者であれば理解するだろう。さらに、その基本的な範囲から乖離することなく、特定の場面に適応するように、もしくは、本発明の教示に部材を適応するように、多くの変更が可能である。したがって、ここに開示された特定の例示的な実施形態のいずれかに本発明を限定することは意図されていない。
【図４】
0005919300.tif 000002
【図１】
0005919300.tif 000003
【図２】
0005919300.tif 000004
【図３】
0005919300.tif 000005